(57)【要約】調節可能なピボットが、ピボット部材をハウジング内に回転可能に支持し、ピボット部材の位置を調節する。調節可能なピボットは、第１の軸を規定していると共にピボット部材を回転可能に支持する中央シリンダを有している。第２のシリンダが、この中央シリンダから延び、第１の軸からオフセットされかつ平行な第２の軸を規定している。第２のシリンダは、ハウジングによって支持され、調節位置へと第２の軸の周りを回転するように動作可能である。調節位置へ向かう第２のシリンダの回転により、第１の軸が、調節位置へ向かって第２の軸の周りを回転される。このようにして、ピボット部材は、ハウジング内に調節可能に位置付けられる。
2006516922.tif 000002
【特許請求の範囲】
【請求項１】
ハウジング内のピボット部材を回転可能に支持し、ピボット部材の位置を調節するための調節可能なピボットであって、
第１の軸を規定し、前記ピボット部材を回転可能に支持している中央シリンダと、
この中央シリンダから延び、前記第１の軸に対して平行にかつこの第１の軸からオフセットされた第２の軸を規定し、前記ハウジングによって支持されて、調節位置へと第２の軸の周りを回転するように動作可能である第２のシリンダとを具備し、調節位置へ向かうこの第２のシリンダの回転により、第１の軸が、調節された位置に向かって第２の軸の周りで回転され、また、前記ピボット部材は、前記ハウジング内に調節可能に配置されている調節可能なピボット。
【請求項２】
前記中央シリンダから延び、前記第２の軸とアラインメントされた第３の軸を規定し、前記ハウジングによって支持されている第３のシリンダを更に具備している請求項１の調節可能なピボット。
【請求項３】
前記第３の軸の周りの第３のシリンダの回転により、ハウジング内での前記ピボット部材の位置を調節するように、第１の軸が前記第３の軸の周りで回転される請求項２の調節可能なピボット。
【請求項４】
前記第２のシリンダの面に形成され、第２のシリンダの回転を生じるようにツールによって係合され得るレリーフを更に具備する請求項１の調節可能なピボット。
【請求項５】
前記第２のシリンダは、調節された位置でハウジングに固定され、第２の軸の周りの第２のシリンダの回転を阻止する請求項１の調節可能なピボット。
【請求項６】
ハウジング内に調節可能なピボットによって支持されたピボット部材の第１の軸の周りでの位置を調節する方法であって、
調節された位置へ向かう前記ピボット部材の動きを生じるように第２の軸の周りで調節可能なピボットを回転させることと、
前記ピボット部材が調節された位置に到達したときに調節可能なピボットの回転を阻止するように調節可能なピボットをハウジングに固定させることとを具備する方法。
【請求項７】
前記第１の軸は、第２の軸からオフセットされている請求項６の方法。
【請求項８】
前記第２の軸の周りの調節可能なピボットの回転により、第１の軸が、第２の軸の周りで回転される請求項６の方法。
【請求項９】
前記ピボット部材をハウジングに対して中立位置に設定することを更に具備する請求項６の方法。
【請求項１０】
前記調節された位置は、前記中立位置と対応している請求項９の方法。
【請求項１１】
第１のハウジング部と第２のハウジング部とを有し、第２のハウジング部は第１のハウジング部の周りに回転可能に支持されているハウジングと、
第１のハウジング部に対する回転を阻止するように第２のハウジング部に係合する第１の位置と、第１のハウジング部に対する回転を可能にするように第２のハウジング部を解放する第２の位置との間で移動可能な爪と、
前記解放カムと係合され、前記爪を第１の位置にロックするロック位置と爪を第２の位置へと移動可能にする解放位置との間で移動可能な第１のロックカムと、
第１の軸を規定すると共に第１のロックカムを回転可能に支持している中央シリンダと、この中央シリンダから延びていると共に、第１の軸からオフセットされかつこれに平行な第２の軸を規定する第２のシリンダとを備えた第１のピボットとを具備し、前記第２のシリンダは、ハウジングによって支持され、調節位置に向かって第２の軸の周りで回転するように動作可能であり、また、調節位置に向かうこの第２のシリンダの回転により、第１の軸が調節された位置に向かって第２の軸の周りで回転され、また、前記ピボット部材は、ハウジング内に調節可能に配置されている小型リクライナアセンブリ。
【請求項１２】
前記中央シリンダから延び、第２の軸とアラインメントされた第３の軸を規定し、並びに、第１のハウジング部によって支持されている第３のシリンダを更に具備する請求項１１の小型リクライナアセンブリ。
【請求項１３】
第３の軸の周りの前記第３のシリンダの回転により、第１のハウジング部内の第１のロックカムの位置を調節するように、第１の軸が、第３の軸の周りで回転される請求項１２の小型リクライナアセンブリ。
【請求項１４】
前記第２のシリンダの１面に形成され、この第２のシリンダの回転を生じるようにツールと係合され得るレリーフを更に具備する請求項１１の小型リクライナアセンブリ。
【請求項１５】
前記第２のシリンダは、第２の軸の周りの第２のシリンダの回転を阻止するようにハウジングに対する調節された位置に設定される請求項１１の小型リクライナアセンブリ。
【請求項１６】
調節可能なピボットによって支持され、第１の軸の周りで回転可能なピボット部材を組立てることと、
ハウジングによって支持され、第２の軸の周りで回転可能となるように、調節可能なピボットをハウジングに組立てることと、
調節された位置に向かう前記ピボット部材の動きを生じるように、前記調節可能なピボットを第２の軸の周りで回転させることと、
ピボット部材が調節された位置に到達すると、前記調節可能なピボットの回転を阻止するように、調節可能なピボットをハウジングに固定することとを具備する小型リクライナアセンブリを組立てる方法。
【請求項１７】
前記第１の軸は、第２の軸からオフセットされている請求項１６の方法。
【請求項１８】
第２の軸の周りの前記調節可能なピボットの回転により、第１の軸が、第２の軸の周りで回転される請求項１６の方法。
【請求項１９】
前記ピボット部材をハウジングに対する中立位置に位置付けることを更に具備する請求項１６の方法。
【請求項２０】
前記調節された位置は、中立位置に対応している請求項１９の方法。
【請求項２１】
ハウジングによって摺動可能に支持されるように爪をハウジングに組立てることと、
前記爪をハウジングに対して中立位置に位置付けることと、
前記ピボット部材をハウジングに対して第１の位置に位置付けることとを更に具備する請求項１６の方法。
【発明の詳細な説明】
【発明の詳細な説明】
【０００１】
本発明は、一般的にリクライナ機構に関し、更に詳細には、リクライナ機構を組立てるための装置並びに方法に関する。
【０００２】
回転式リクライナ機構は、一般的に、複数の歯を備えた第１の回転部材と、１つ以上の爪を備えた第２の回転部材とを有し、第２の回転部材の爪は、これら回転部材を互いに結合させるように、第１の回転部材の歯とロック可能に係合するようにされている。典型的には、第１の回転部材は、背もたれ部に取付けるための象嵌部に設けられ、第２の回転部材は、背もたれ部に取付けるためのベースプレートに設けられている。回転リクライナ機構は、背もたれ部に接続された回転部材をロックしてその回転を制限するか、背もたれ部に接続された回転部材を解放してそれが回転して背もたれ部が倒れるのを可能にするように動作可能である。
【０００３】
回転式リクライナ機構は、係合位置と解放位置との間で回転するように設けられた１つ以上の爪を操作することにより、選択的に、ロックもしくは解放される。爪の係合位置では、爪の歯とシートの基部に接続された回転部材の歯とがかみ合っており、解放位置では、爪が引っ込み、シートの基部に接続された回転部材の歯とかみ合わない。回転式リクライナ機構をロックすることはまた、機構のデフォルト位置がロックされた状態となるように、爪を解放位置から係合位置へと解放可能に付勢するために、ばねなどの装置を有してもよい。更に、回転式リクライナは、典型的には、係合位置から解放位置へと爪を移動させる駆動機構を有している。
【０００４】
リクライニングシートでは、背もたれ部が、様々の力がかけられる極めて長いレバーアームとして機能する。車両のシート内のロック回転式リクライナ機構は、リクライニング背もたれ部に比べると小さく、車両の振動または着座者の動きが、使用中に、このレバーに様々の力をかけ得る。こうした力は、このような非常に長いレバーアームに沿ってかけられたときに、背もたれ部に接続された回転部材の回りに大きなモーメントを与える。ピボット機構の部品の何らかの欠陥、例えば、係合する歯間のあそびまたは間隙や、機構部品間の許容誤差などにより、背もたれ部に接続された回転部材が、機構がロックされているときでさえも、僅かに動き得る。こうした僅かな動きが、レバーアームの長さによって増幅され、シートの上端部では目立つようになる。ロックピボット機構におけるこの増幅されたあそびは、“チャッキング（chucking）”と呼ばれており、機構がロックされた状態のときに回転部材と取付けられた背もたれ部との動きを可能にする所定の欠陥または機構部品内のあそびを指している。
【０００５】
このチャッキングを減少させるために採用される１つの技術は、互いに非常に近い許容誤差を有するピボット機構の部品を形成することである。このような近い許容誤差を狙って製造する場合は、精密機械加工が要求されるため、難しく高価である。更に、近い許容誤差は、システムの部品を拘束し、円滑な動作を妨げる可能性がある。
【０００６】
本発明は、ピボット部材を回転可能に支持し、かつハウジング内でのその位置を調節する調節可能なピボットを提供している。調節可能なピボットは、第１の軸を規定し、ピボット部材を回転可能に支持している中央シリンダを有している。第２のシリンダは、中央シリンダから延び、第１の軸からオフセットしていると共にこれに対して平行な第２の軸を規定している。第２のシリンダは、ハウジングによって支持されており、調節位置に向かって第２の軸の周りで回転するように動作可能である。調節位置に向かう第２のシリンダの回転により、第１の軸が調節された位置に向かって第２の軸の周りで回転される。このようにして、ピボット部材は、ハウジング内に調節可能に配置される。
【０００７】
１つの特徴で、調節可能なピボットは更に、中央シリンダから延びた第３のシリンダを有している。この第３のシリンダは、第２の軸とアラインメントされた第３の軸を規定している。第３のシリンダは、ハウジングによって支持されている。
【０００８】
他の特徴で、第３の軸の周りの第３のシリンダの回転により、ハウジング内でピボット部材の位置を調節するように、第１の軸が第３の軸の周りで回転される。
【０００９】
更なる他の特徴で、調節可能なピボットは、第２のシリンダの１面に形成されたレリーフを更に有する。このレリーフは、第２のシリンダの回転を生じるようにツールによって係合可能である。
【００１０】
他の特徴で、第２のシリンダは、第２の軸の周りの第２のシリンダの回転を阻止するために、ハウジングに対して調節された位置に設定される。
【００１１】
本発明の応用の更なる範囲が、以下の詳細な説明から明らかになるだろう。詳細な説明および特定の実施例とは、本発明の好ましい実施形態を示す一方で、単なる説明を目的としており、本発明の範囲を制限することを意図していないことが理解されなくてはならない。
【００１２】
本発明は、詳細な説明および添付図面からよりよく理解されるだろう。
【００１３】
好ましい実施形態の以下の説明は、事実上単なる例であり、本発明とその応用例、即ち、使用を制限するようには全く意図されていない。
【００１４】
図１ないし７を参照すれば、典型的な小型リクライナアセンブリ１０は、支持プレート１４が取付けられた外側ハウジング１２と、この外側ハウジング１２内で支持され、カバープレート１８によって覆われた内側ハウジング１６とを有している。内側ハウジング１６は、ロック爪２０と１対のロックカム２２とを支持している。ロック爪２０は、外側ハウジング１２の内周面２４と係合するロック位置と、内周面２４を解放する解放位置との間で摺動可能である。両ロックカム２２は、ロック爪２０をそのロック位置にロックするようにロック位置と、解放位置との間で移動可能である。（図４ないし６を参照）。
【００１５】
外側ハウジング１２は、外側ハウジング１２の開口部２６と支持プレート１４の開口部２８とによって受けられる締付具（図示されず）によって支持プレート１４に取付けられている。外側ハウジング１２の下側平面３０が、支持プレート１４から延びたブラケット３２内に着座している。外側ハウジング１２は、内周面２４を形成する特大の開口部３４を有している。一連の歯３６が、内周面２４の一部に形成されている。ロック爪２０の歯３７が、選択的に、歯３６と係合する。
【００１６】
内側ハウジング１６は、外側ハウジング１２の開口部３４内に着座し、外周面３８を有している。この外周面３８は、外側ハウジングの内周面２４と摺動可能に係合する。このようにして、外側ハウジング１２は、内側ハウジング１６の回りに回転可能に支持されている。内側ハウジング１６はまた、外周面４２を規定する円筒形の延長部４０を有している。この円筒形の延長部４０は、内周面４６を規定する支持プレート１４の開口部４４内に受けられる。外周面４２と内周面４６とは、摺動可能に係合して、内側ハウジング１６の周りで支持プレート１４を支持する。内側ハウジング１６は、これに形成された爪スロット４８とカム凹部５０とを有している。
【００１７】
内側ハウジング１６は、留め部４９によって固定位置に留められている。留め部４９は、開口部５１内に受けられ、ボルト（図示されず）によって固定構造物（図示されず）に固定されている。このようにして、内側ハウジング１６は、支持構造体に対して取付けられ、外側ハウジング１２は、取付けられた内側ハウジング１６の周りで回転可能にされている。
【００１８】
カムプレート５２が、内側ハウジング１６内に回転可能に支持され、ロック爪２０およびロックカム２２と係合して、夫々をロック位置と解放位置との間で動かす。カムプレート５２は、内側ハウジング１６の中央開口部５６およびカバープレート１８の中央開口部５８を通って延びたピボット５４の周りで支持されている。ピボット５４は、適合面６２を有する段部を備えた中央の円筒形部６０を有している。テーパが付けられた円筒形部６４が、内側ハウジング１６の中央開口部５６を通って延び、この開口部内に支持されている。中央円筒形部６０は、中央開口部５６の凹部６６内に着座している。円筒形部６８が、カバープレート１８の中央開口部５８を通って延び、この開口部内に支持されている。適合部７０が、円筒形部６８の端部から延びている。
【００１９】
カムプレート５２は、カムスロット７２と、適合平面７６が形成された中央開口部７４とを有している。ロック爪２０の柱部７８が、カムスロット７２内に受けられ、この中を摺動可能にされている。ピボット５４は、中央開口部７４内に受けられ、かくして、適合面６２が、中央開口部７４の適合平面７６と係合している。このように、カムプレート５２は、ピボット５４と共に回転するように取付けられている。カムプレート５２は、ロックカム２２と摺動可能に係合する係合エッジ８０を更に有している。
【００２０】
ロックカム２２は、中央開口部８２、上側ジャミングエッジ８４、下側ジャミングエッジ８６、および隆起面８８を有している。ロックカム２２は、カム凹部５０内に調節可能なピボット９０を中心として枢動可能なように支持されている。ピボット９０は、夫々に、軸Ａを規定する中央円筒形部９２と、軸Ｂを規定する延長円筒形部９４とを有している。図４に最もよく示されているように、中央円筒形部９２は、延長円筒形部９４から同心に対してオフセットされている。即ち、軸Ａは、軸Ｂからオフセットされている。溝部９５が、延長円筒形部９４の端部に形成されている。中央円筒形部９２は、ロックカム２２の開口部８２を通ってこれに受けられており、ロックカム２２を回転可能に支持する軸受け面９６を有している。延長円筒形部９４は、内側ハウジング１６およびカバープレート１８の開口部９８、１００を通って受けられ、夫々に、これらの間でピボット９０を支持している。
【００２１】
ロック位置では、ロックカム２２は、ロック爪２０が内周面２４と係合するようにこれを付勢する柱として働く。ロックカム２２の上側ジャミングエッジ８４が、ロック爪２０と係合し、下側ジャミングエッジ８６が、内側ハウジング１６の表面１０２と係合する。このようにして、ロックカム２２は、ロック爪２０の径方向内方への摺動を阻止する。解放位置では、ロックカム２２は、ロック爪２０および表面１０２との係合から解放され、ロック爪２０の径方向内方への摺動が可能にされる。
【００２２】
組立ての間、ロック位置にあるときにロックカム２２がロック爪２０に適当に接触するように、ロックカム２２間の間隙が最小にされる。かくして、ロック爪２０とロックカム２２とは、ロック位置に設定されている。この位置は、中立であると考えられ、ロックカム２２が間隙を最小にするために調節された位置に移動された位置に対応している。間隙を最小にするために、ロック爪２０と表面１０２との間のロックカム２２の相対位置が、開口部９８、１００内でピボット９０を回転させることによって調節される。平坦ヘッドツール（例えばねじ回し）が溝部９５中に挿入されることにより、このピボット９０の回転が引き起こされる。開口部９８、１００内でのピボット９０の回転により、軸Ａが軸Ｂの周りで方向Ｘ１またはＹ１に回転される。中央円筒形部９２が、ロックカム２２の開口部８２内で回転する。軸Ａの周りの軸Ｂの動きが、内側ハウジング１６内で調節された位置に向かうロックカム２２の平面的な動きを生じさせる。ロックカム２２が、方向Ｘ２およびＹ２に動き、ロック爪２０と表面１０２との間でロックカム２２を調節する。ロックカム２２が調節された位置に到達すると、ピボット９０が、内側ハウジング１６およびカバープレート１８に固定される。このようにして、ピボット５４が、組立て後の回転により取付けられて、ロックカム２２の位置をロック爪２０と表面１０２との間に固定する。
【００２３】
ロックカム２２が、圧縮ばね１０４によってロック位置に付勢される。圧縮ばね１０４が、表面１０２によって部分的に規定されたばね凹部１０６内に着座する。この圧縮ばね１０４は、ロックカム２２の平面１０８間に着座して、ロックカム２２に付勢力をかける。カムプレート５２の係合エッジ８０が、隆起面８８に対応するエッジ１１０と摺動可能に係合する。カムプレート５２が回転されると、この係合エッジ８０が、ロックカム２２に付勢して解放位置に向かってピボット９０の周りで回転される。ロックカム２２が回転すると、平面１０８が圧縮ばね１０４を圧迫する。カムプレート５２を解放するとき、圧縮ばね１０４は、ロックカム２２をロック位置に付勢する。ロックカム２２がロック位置に戻るように回転し、カムプレート５２が回転されることによって、ロック爪２０が付勢され、再び内周面２４の歯３６と係合される。
【００２４】
図６を参照すれば、小型リクライナアセンブリ１０が、シートアセンブリ１２０内に内蔵されている。シートアセンブリ１２０は、シート１２２と背もたれ部１２４とを有している。内側ハウジング１６は、留め部４９によってシート１２２に取付けられている。背もたれ部１２４は、支持プレート１４に取付けられている。内側ハウジング１６の周りの外側ハウジング１２の回転により、これに対応して、シート１２２に対する背もたれ部１２４の枢動が容易にされる。ハンドル部１２６が、ピボット５４の適合部７０に取付けられている。このハンドル部１２６は、上述されたように小型リクライナアセンブリ１０のオペレータによって駆動される。
【００２５】
小型リクライナアセンブリ１０は、事実上単なる例であり、当分野で知られている多くのタイプのリクライナの内の一例に過ぎないことが理解されるだろう。調節可能なピボット９０は、所定のタイプのリクライナアセンブリ内に組み込まれ得ると予想される。調節可能なピボットを組み込んで、リクライナアセンブリ部品の間の間隙を補うことによって、チャッキングが減少される。
【００２６】
本発明の説明は、事実上単なる説明であり、かくして、本発明の主旨から外れない変形例が、本発明の範囲内に含まれるよう意図されている。このような変形例が、本発明の精神および範囲から逸脱するものとして考えられることはない。
【図面の簡単な説明】
【００２７】
【図１】本発明に係わる典型的な小型リクライナアセンブリの斜視図である。
【図２】典型的な小型リクライナアセンブリの分解図である。
【図３】典型的な小型リクライナアセンブリのロック部品の分解図である。
【図４】ロック位置にある典型的な小型リクライナアセンブリの平面図である。
【図５】小型リクライナアセンブリの調節可能なピボットの詳細図である。
【図６】解放位置にある典型的な小型リクライナアセンブリの平面図である。
【図７】典型的なリクライナアセンブリを内蔵したシートの概略図である。
【図１】
2006516922.tif 000003
【図２】
2006516922.tif 000004
【図３】
2006516922.tif 000005
【図４】
2006516922.tif 000006
【図５】
2006516922.tif 000007
【図６】
2006516922.tif 000008
【図７】
2006516922.tif 000009
【国際調査報告】
2006516922.tif 000010
2006516922.tif 000011